(57)【要約】【課題】各植物栽培容器に応じて水量を調節して給水させる園芸用給水装置を提供すること。【解決手段】  水源と、水源の水を各植物栽培容器に分配させる分配管と、同分配管で分配した水を各植物栽培容器に供給する供給手段と、を有する園芸用給水装置において、各分配管は、各分配管に流れる水量を調節する水量調節手段を有し、同水量調節手段は、水源の水量の所定量以下に調節する第１水量調節手段と、第１水量調節手段で調節した水量をさらに各植物栽培容器に応じた水量に調節する第２水量調節手段と、を具備する。【選択図】図１
2011072278.tif 000002
【特許請求の範囲】
【請求項１】
水源と、水源の水を各植物栽培容器に分配させる分配管と、同分配管で分配した水を各植物栽培容器に供給する供給手段と、を有する園芸用給水装置において、
各分配管は、各分配管に流れる水量を調節する水量調節手段を有し、
同水量調節手段は、水源の水量の所定量以下に調節する第１水量調節手段と、同第１水量調節手段で調節した水量をさらに各植物栽培容器に応じて給水する水量に調節する第２水量調節手段と、を具備することを特徴とする園芸用給水装置。
【請求項２】
上記水量調節手段は、上記分配管に対して着脱自在に配設したことを特徴とする請求項１に記載の園芸用給水装置。
【請求項３】
上記第１水量調節手段及び第２水量調節手段は、分配管の内部に配設される吸水体と、分配管の径を締め付ける締付手段と、を有することを特徴とする請求項１又は請求項２記載の園芸用給水装置。
【請求項４】
上記分配管の内部に配設される吸水体は、化学繊維を撚り合わせた撚り糸であることを特徴とする請求項３に記載の園芸用給水装置。
【発明の詳細な説明】
【技術分野】
【０００１】
本発明は、植木鉢などの複数個の植物栽培容器に一度に給水する園芸用給水装置に関する。
【背景技術】
【０００２】
従来、家庭で植物を栽培する場合、如雨露を使用して植木鉢またはプランターなどの植物栽培容器に給水していたが、複数個の植物栽培容器に給水する場合、各植物栽培容器に如雨露を用いて水を供給するためにその手間が生じていた。そこで、複数個の栽培容器に対して、水道水から各植木鉢に給水する自動水やり器が開示されている（例えば特許文献１）。
【０００３】
また、近年では、各植物栽培容器に応じた水を自動的に調節して水を供給する電気式の自動水やり器が存在する。すなわち、電気式のタイマーにより時間を計算して各植物栽培容器に応じた水を自動的に給水するものがある（例えば特許文献２）。
【先行技術文献】
【特許文献】
【０００４】
【特許文献１】特開平１１−２９９３７３号公報
【０００５】
【特許文献２】特開平０９−１２１７００号公報
【発明の概要】
【発明が解決しようとする課題】
【０００６】
ところが、植物の種類によっては、その植物栽培容器の容量も異なり、給水する水の量も異なる。したがって、上記特許文献１に記載の自動水やり器では、各植物栽培容器に応じた水量を調節する手段を備えていないため、各植物栽培容器に給水することが困難であった。また、電気式の自動水やり器は、その装置が高価であり、電気の供給も必要である。
【０００７】
この発明は、各植物栽培容器に応じて給水する水量をそれぞれ調節して給水させる園芸用給水装置を提供することを目的とする。
【課題を解決するための手段】
【０００８】
請求項１に記載の発明は、水源と、水源の水を各植物栽培容器に分配させる分配管と、同分配管で分配した水を各植物栽培容器に供給する供給手段と、を有する園芸用給水装置において、各分配管は、各分配管に流れる水量を調節する水量調節手段を有し、同水量調節手段は、水源の水量の所定量以下に調節する第１水量調節手段と、同第１水量調節手段で調節した水量をさらに各植物栽培容器に応じて給水する水量に調節する第２水量調節手段と、を具備することを特徴とする。
【０００９】
請求項２に記載の発明は、請求項１に記載の発明において、上記水量調節手段は、上記分配管に対して着脱自在に配設したことを特徴とする。
【００１０】
請求項３に記載の発明は、請求項１又は請求項２に記載の発明において、上記第１水量調節手段及び第２水量調節手段は、分配管の内部に配設される吸水体と、締付具により分配管の径を締め付ける締付手段と、を有することを特徴とする。
【００１１】
請求項４に記載の発明は、請求項３に記載の発明において、上記分配管の内部に配設される吸水体は、化学繊維を撚り合わせた撚り糸であることを特徴とする。
【発明の効果】
【００１２】
（１）請求項１記載の本発明では、水源と、水源の水を各植物栽培容器に分配させる分配管と、同分配管で分配した水を各植物栽培容器に供給する供給手段と、を有する園芸用給水装置において、各分配管は、各分配管に流れる水量を調節する水量調節手段を有し、同水量調節手段は、水源の水量の所定量以下に調節する第１水量調節手段と、同第１水量調節手段で調節した水量をさらに各植物栽培容器に応じて給水する水量に調節する第２水量調節手段と、を具備している。
【００１３】
このように、一つの水源から各分配管を通して各植物栽培容器に分配させて給水することができ、また、各植物栽培装置の大きさ、容量が異なっていても、各植物栽培装置に応じて水量を調節することができ、そのような給水する水量が異なっていても、全部の植物栽培容器に一度に給水することができる。
【００１４】
（２）請求項２記載の本発明では、上記水量調節手段は、上記分配管に対して着脱自在に配設しているので、ある分配管を通して給水する植物栽培容器を、容量の異なる植物栽培容器に変更する場合に、給水する量も異なってくるので、変更した植物栽培容器に応じて給水する水量を調節する水量調節手段に変更することができる。
【００１５】
（３）請求項３記載の本発明では、上記第１水量調節手段及び第２水量調節手段は、分配管の内部に配設される吸水体と、分配管の径を締め付ける締付手段と、を有するので、給水体により水を吸収させて水量を調節できると共に、締付手段により分配管を収縮させて水量を調節することができる。したがって、締付手段を収縮させるのに電気なども必要としない。
【００１６】
（４）請求項４記載の本発明では、上記分配管の内部に配設される吸水体は、化学繊維を撚り合わせた撚り糸であるので、その撚り糸により水を吸水させながら、蛇口からの水の流れの抵抗体として機能させることができる。また、化学繊維の本数を増減することにより、水量を調整できる。
【図面の簡単な説明】
【００１７】
【図１】この発明の実施例における園芸用給水装置の全体構造を示した正面図である。
【図２】この発明の実施例における園芸用給水装置の水量調節手段の構造を示した正面図である。
【図３】図２のＸ−Ｘ線の断面構造を示した断面図である。
【図４】この発明の実施例における園芸用給水装置の吸水体の構造を示した正面図である。
【発明を実施するための形態】
【００１８】
本実施形態における園芸用給水装置では、水源と、水源の水を各植物栽培容器に分配させる分配管と、同分配管で分配した水を各植物栽培容器に供給する供給手段と、を有する園芸用給水装置において、各分配管は、各分配管に流れる水量を調節する水量調節手段を有し、同水量調節手段は、水源の水量の所定量以下に調節する第１水量調節手段と、第１水量調節手段で調節した水量をさらに各植物栽培容器に応じて給水する水量に調節する第２水量調節手段と、を具備するものである。
【００１９】
水源としては、水道の蛇口、タンク及びバケツなどが挙げられる。植物栽培容器としては、植木鉢、プランターなどである。
【００２０】
そして、上記第１水量調節手段及び第２水量調節手段は、分配管の内部に配設される吸水体と、締付具により分配管の径を締め付ける締付手段と、を有する。締付手段としては締付リングまたは締付クリップを用いて、分配管の径を締め付けるようにしている。
【００２１】
上記のように、分配管は、締付手段によりその径が締め付けられるので、柔軟な素材で形成され、例えば、ゴム製ホースが用いられる。
【００２２】
第１水量調節手段では、水源の水量を、例えば、略半分等の所定量以下に調節するものである。第２水量調節手段では、各植木鉢の大きさ、または容量等に応じて給水量に具体的に調節するものである。
【実施例】
【００２３】
以下に、本発明の実施例における園芸用給水装置１０の構造を、図面を参照しながら説明する。本発明に係る園芸用給水装置１０では、図１に示すように水源としての蛇口１１と、蛇口１１にその基端部を連結した主ホース１２と、主ホース１２を通した水を各植木鉢Ｕ１〜Ｕ６に分配させる分配管としての分配ホース１３と、を有する。
【００２４】
図１に示すように、水源として上水道の蛇口１１を設け、その蛇口１１に主ホース１２の基端部を連結している。主ホース１２は、蛇口１１に連結した第１主ホース１２ａと、その第１主ホース１２ａの下流側にターミナル３９を介して連結した第２主ホース１２ｂとを有している。そして、各第２主ホース１２ｂに複数の分配ホース１３を連結している。
【００２５】
分配ホース１３は、図２に示すように、上記第２主ホース１２ｂに連結する連結体４１と、連結体４１の下流側に連結されたアダプタ１４と、各植木鉢に応じて給水する水量に調節する水量調節手段１５と、その水量調節手段１５の先に連結した給水管３４と、その給水管３４の下流側に配設した点滴ノズル３３と、を具備している。
【００２６】
連結体４１は、上記分配ホース１３を、第２主ホース１２ｂから各植木鉢Ｕ１〜Ｕ６に分岐させて連結する部材である。
【００２７】
アダプタ１４は、図１に示すように、各植木鉢Ｕ１〜Ｕ６に配設された分配ホース１３と連結するものであり、アダプタ１４は、各分配ホース１３に水を供給したり、その供給を停止したりする開閉ツマミ４０を具備している。
【００２８】
水量調節手段１５は、図２に示すように、蛇口１１の水量を略半分以下に調節する第１水量調節手段１５ａと、第１水量調節手段１５ａで調節した水量をさらに各植木鉢Ｕ１〜Ｕ６に応じて給水する水量に調節する第２水量調節手段１５ｂと、を具備している。なお、第１水量調節手段１５ａ及び第２水量調節手段１５ｂについては詳細に説明する。
【００２９】
給水管３４は、水量調節手段１５の下流側に点滴ノズル３３を配設し、その点滴ノズル３３に水量調節手段１５で水量が調節された水を供給する管である。給水管３４は、複数個分岐させて設けることができる。
【００３０】
点滴ノズル３３は、植木鉢Ｕ１〜植木鉢Ｕ６への給水手段として設けられたもので、図２に示すように、上記水量調節手段１５の先端側（下流側）に複数個の給水管３４を介してそれぞれ連結されている。
【００３１】
次に、水量調節手段１５について詳細に図２〜図４を参照して説明する。図２に示すように、水量調節手段１５は、上記のように、第１水量調節手段１５ａと第２水量調節手段１５ｂとを備え、第１水量調節手段１５ａと第２水量調節手段１５ｂとは、連結部材３５を介して連結されている。
【００３２】
なお、第１水量調節手段１５ａ側では、第２水量調節手段１５ｂより水量が大きいので、図３に示すように、第１水量調節手段１５ａのゴム製ホース１９が破裂しないように、そのゴム製ホース１９の周囲に耐圧用ホース３６で被覆するようにしている。
【００３３】
そして、上記第１水量調節手段１５ａ及び第２水量調節手段１５ｂは、分配ホース１３の内部に配設される吸水体１６と、分配ホース１３の径を締め付ける締付手段１８と、を有する。
【００３４】
吸水体１６は、吸水性の素材で形成され、例えば、図４に示すように、化学繊維を撚り合わせた撚り糸１７である。この撚り糸１７を分配ホース１３の中に挿入することにより、この吸水体を、蛇口１１からの水を吸水させながら、蛇口からの水の流れの抵抗体として機能させることができる。このようにして、第１水量調節手段１５ａ及び第２水量調節手段１５ｂでは、水量を所定量以下に落とすことができる。なお、この撚り糸１７は復元力を有しており、長年使用しても抵抗体としての機能の劣化が少ない。
【００３５】
また、撚り糸１７の本数の増減により、水量を調整することができる。例えば、植木鉢Ｕ１の第１水量調節手段１５ａ及び第２水量調節手段１５ｂの吸水体の本数は２０本であり、植木鉢Ｕ２では１８本であり、植木鉢Ｕ３では１６本であり、以下、水量を多く必要な植木鉢に対して、吸水体１６の撚り糸１７の本数を低減するようにすることができる。このようにして、撚り糸１７の増減によりゴム製ホース１９内に流れる水量を調節することができる。
【００３６】
締付手段１８は、図２及び図３に示すように、第１水量調節手段では、耐圧用ホース３６の周囲に、第２水量調節手段１５ｂではゴム製ホース１９の周囲にアルミ板２０を巻設している。また、そのアルミ板２０の周囲にホースクリップ２１を巻設し、同ホースクリップ２１は、リング状の締付リング２２を備え、締付リング２２の端部を交差させている。
【００３７】
図３に示すように、ボルト２３の先端に固着された円板状の当接板２５をボルト２３と共に回転自在に設け、また、締付リング２２の一端部には上記円板状の当接板２５を受ける当接受け部材２４を設け、締付リング２２の他端部にはボルト２３がねじ込まれるねじ込み板２６を設けている。
【００３８】
そして、上記ボルト２３をねじ込んで、上記当接受け部材２４とねじ込み板２６との間隔（具体的には図３に示すＡとＢとの間隔）が開くことにより、締付リング２２の径を締め付けることにより、ゴム製ホース１９の径を締め付けるようにしている。このように、第１水量調節手段１５ａの締付リング２２の径を締め付けられることにより、その第１水量調節手段１５ａのゴムホースの中に流れる水量を低減させることができる。そして、第１水量調節手段１５ａにおいて、上記吸水体１６の水量調節効果と合わせて、蛇口１１からの水量を例えば略半分程度に調整することができる。
【００３９】
また、第２水量調節手段１５ｂの締付リング２２の径が締め付けられることにより、第２水量調節手段１５ｂのゴムホースの中に流れる水量を低減させることができる。そして、第２水量調節手段１５ｂにおいて、上記吸水体１６の水量調節効果と合わせて、各植木鉢Ｕ１〜Ｕ６の容量に応じて給水する水量に調節することができる。そのため、第２水量調節手段１５ｂでは、各植木鉢Ｕ１〜Ｕ６の容量に対応して、締付リング２２の締付量はそれぞれ異なっている。
【００４０】
このように、分配ホース１３の中に挿入された吸水体１６により水を吸着させながら抵抗体として機能させ、分配ホース１３の径を締め付けるようにして、分配ホース１３の流れる水の量を所定量以下に制限しているので、各水量調節手段１５での水量の調節が可能となる。
【００４１】
また、図２に示すように、上記水量調節手段１５の下流側には、ノズル連結部材３７を介して、複数個の給水管３４を連結可能とし、その給水管３４の先端側に給水手段としての点滴ノズル３３が設けられている。
【００４２】
点滴ノズル３３は、その先端に向かって長細のノズル体２７を備えている。この長細のノズル体２７により、植木鉢Ｕ１〜Ｕ６の土に突き刺し可能としている。そして、点滴ノズル３３の基端部に水を給水する給水孔３１が設けられている。
【００４３】
また、図２に示すように、上記水量調節手段１５で調節された水を植木鉢Ｕ１〜Ｕ６に給水させる容量が大きい場合には、複数個の給水管３４の先端に連設された複数個の点滴ノズル３３を植木鉢Ｕ１〜Ｕ６に突き刺すことより給水時間を短縮することができる。
【００４４】
さらに、各植木鉢Ｕ１〜植木鉢Ｕ６とは別に、上記水量調節手段１５を介して、計量器３０に水を供給するようにしている。この計量器３０は、図１に示すように、その計量器３０に供給される水量により、各植木鉢Ｕ１〜Ｕ６の供給する大まかな水量の予測ができるように設けたものである。計量器３０への水の供給により、各植木鉢Ｕ１〜Ｕ６にこれまで給水した水の量を知ることができる。
【００４５】
蛇口１１から水を供給すると、主ホース１２の第１主ホース１２ａ及び第２主ホース１２ｂを通して各分配ホース１３に水が流れる。その後、各分配ホース１３上の水量調節手段１５において、各植木鉢Ｕ１〜Ｕ６に応じて給水する水量に調節されて、各植木鉢Ｕ１〜Ｕ６に給水するようにしている。
【００４６】
例えば、図１に示すように、蛇口１１から供給される水の水圧を３ｈｐａとすると、各植木鉢Ｕ１〜Ｕ６の６分間当たりの給水量は以下のように設定される。すなわち、植木鉢Ｕ１の水量調節手段１５Ａは１００ｍｌ／６分、植木鉢Ｕ２の水量調節手段１５Ｂは１５０ｍｌ／６分、植木鉢Ｕ３の水量調節手段１５Ｃは２００ｍｌ／６分、植木鉢Ｕ４の水量調節手段１５Ｄは２５０ｍｌ／６分、植木鉢Ｕ５の水量調節手段１５Ｅは３００ｍｌ／６分、植木鉢Ｕ６の水量調節手段１５Ｆは５００ｍｌ／６分に設定される。なお、植木鉢Ｕ６の水量調節手段１５Ｆは、植木鉢Ｕ４の水量調節手段１５Ｄと同じものを２個使用している。
【００４７】
また、計量器３０に供給される水量は、１００ｍｌ／６分である。したがって、計量器３０での目標水量が１００ｍｌに達せば、各植木鉢Ｕ１〜Ｕ６に所望の水量が給水されたこととなる。
【００４８】
そして、計量器３０に目標水量の１００ｍｌに達したことをセンサ４３で検知して、蛇口に供給停止手段４４を駆動させて、蛇口から流れる水の供給を停止するようにしてもよい。その後、計量器３０内の水を排出手段４５により排出するようにしてもよい。
【００４９】
しかも、上記水量調節手段１５は、上記分配ホース１３に対して着脱自在に配設しているので、例えば、１００ｍｌ／６分給水する植木鉢Ｕ１を、１５０ｍｌ／６分給水する植木鉢Ｕ２に変更したい場合には、１００ｍｌ／６分給水する水量調節手段１５を取り外して、１５０ｍｌ／６分給水する水量調節手段１５に変更して取り付けることができる。このように、自由に異なる水量の調節が可能である水量調節手段１５の変更が可能である。
【００５０】
この結果、蛇口１１からの水は、分配ホース１３を通して各植木鉢Ｕ１〜Ｕ６にそれぞれ分配させ、水量調節手段１５により各植木鉢Ｕ１〜Ｕ６に応じて給水する水量に調節して、点滴ノズル３３を介して各植木鉢Ｕ１〜Ｕ６に給水でき、蛇口１１からの水を調節した上で一度に各植木鉢Ｕ１〜Ｕ６にそれぞれ給水することができる。
【符号の説明】
【００５１】
１０  園芸用給水装置
１１  蛇口（水源）
１３  分配ホース（分配管）
１５  水量調節手段
１５ａ  第１水量調節手段
１５ｂ  第２水量調節手段
３３  点滴ノズル（給水手段）
【図１】
2011072278.tif 000003
【図２】
2011072278.tif 000004
【図３】
2011072278.tif 000005
【図４】
2011072278.tif 000006